(57)【要約】【課題】構造の複雑化を招くことなく、絶縁信頼性の向上を図ることのできる樹脂モールド真空バルブを提供する。【解決手段】絶縁材料から構成され両端に開口部を有する筒状の真空絶縁容器と、前記真空絶縁容器内に収容され、離接可能な一対の電極と、前記真空絶縁容器の両端の前記開口部をそれぞれ閉塞する封着板と、前記真空絶縁容器の外側を覆う絶縁性樹脂からなる主絶縁層と、前記真空絶縁容器の外側と前記主絶縁層との間に介在し、前記主絶縁層より誘電率の高い絶縁材料からなる複数の層を有する高誘電率層とを具備した樹脂モールド真空バルブ。【選択図】図１
2019110012.tif 000002
【特許請求の範囲】
【請求項１】
絶縁材料から構成され両端に開口部を有する筒状の真空絶縁容器と、
前記真空絶縁容器内に収容され、離接可能な一対の電極と、
前記真空絶縁容器の両端の前記開口部をそれぞれ閉塞する封着板と、
前記真空絶縁容器の外側を覆う絶縁性樹脂からなる主絶縁層と、
前記真空絶縁容器の外側と前記主絶縁層との間に介在し、前記主絶縁層より誘電率の高い絶縁材料からなる複数の層を有する高誘電率層と
を具備したことを特徴とする樹脂モールド真空バルブ。
【請求項２】
前記高誘電率層を構成する複数の層の誘電率が、前記真空絶縁容器側の層が高く、外側の層が低い
ことを特徴とする請求項１に記載の樹脂モールド真空バルブ。
【請求項３】
前記高誘電率層が、少なくとも、前記真空絶縁容器と前記封着板との接続部の周辺に配設されている
ことを特徴とする請求項１又は２に記載の樹脂モールド真空バルブ。
【請求項４】
前記高誘電率層を構成する複数の層の厚さが、前記真空絶縁容器側の層が薄く、外側の層が厚い
ことを特徴とする請求項１乃至３何れか１項に記載の樹脂モールド真空バルブ。
【請求項５】
前記高誘電率層を構成する複数の層の誘電率と厚さとの積算値が、各層間で等しい
ことを特徴とする請求項１乃至４何れか１項に記載の樹脂モールド真空バルブ。
【請求項６】
前記主絶縁層の外周面に設けられ、接地電位とされる接地層を具備した
ことを特徴とする請求項１乃至５何れか１項に記載の樹脂モールド真空バルブ。
【発明の詳細な説明】
【技術分野】
【０００１】
本発明の実施形態は、樹脂モールド真空バルブに関する。
【背景技術】
【０００２】
従来から、筒状の真空絶縁容器内に接離自在の一対の接点を収納した真空バルブが用いられている。このような真空バルブでは、真空が持つ優れた絶縁耐力やアーク消弧性などにより外形形状の小型化が図られている。
【０００３】
真空絶縁容器には、絶縁特性や機械的特性の優れたアルミナ磁器などのセラミックスが用いられている。また、外部絶縁を図るためにこの真空バルブはエポキシ樹脂でモールドされている。また、真空絶縁容器と封着金具との接続箇所などの高電界部の電界緩和を目的とし、封着金具と封着板および真空絶縁容器の開口部の外周を覆うような腕状の電界緩和シールドを設けた構造のものも知られている。
【先行技術文献】
【特許文献】
【０００４】
【特許文献１】特開２０１２−２４３５８１号公報
【発明の概要】
【発明が解決しようとする課題】
【０００５】
上述した電界緩和シールドを有する樹脂モールド真空バルブでは、電界緩和シールドが真空絶縁容器の同軸上に設けられ、真空絶縁容器外周面と電界緩和シールドは所定の間隙を持ち、固定される。しかしながら、組立方法によっては真空絶縁容器外周面と電界緩和シールドとの間隙にばらつきが生じ、電界緩和シールドと真空絶縁容器の外周面が接触し、この接触部の電界強度が上昇し、絶縁信頼性が低下してしまうという課題があった。
【０００６】
本発明が解決しようとする課題は、構造の複雑化を招くことなく、絶縁信頼性の向上を図ることのできる樹脂モールド真空バルブを提供することにある。
【課題を解決するための手段】
【０００７】
実施形態の樹脂モールド真空バルブは、絶縁材料から構成され両端に開口部を有する筒状の真空絶縁容器と、前記真空絶縁容器内に収容され、離接可能な一対の電極と、前記真空絶縁容器の両端の前記開口部をそれぞれ閉塞する封着板と、前記真空絶縁容器の外側を覆う絶縁性樹脂からなる主絶縁層と、前記真空絶縁容器の外側と前記主絶縁層との間に介在し、前記主絶縁層より誘電率の高い絶縁材料からなる複数の層を有する高誘電率層とを具備している。
【図面の簡単な説明】
【０００８】
【図１】実施形態に係る樹脂モールド真空バルブの縦断面構成を模式的に示す図。
【図２】図１の樹脂モールド真空バルブの要部の縦断面構成を模式的に示す図。
【発明を実施するための形態】
【０００９】
以下、実施形態の樹脂モールド真空バルブを、図面を参照して説明する。
【００１０】
図１は、実施形態に係る樹脂モールド真空バルブ１００の縦断面構成を模式的に示す図である。図１に示すように、樹脂モールド真空バルブ１００は、両端に開口部を有する筒状の真空絶縁容器１０１を具備している。この真空絶縁容器１０１は、例えばアルミナ磁器などのセラミックスから構成されている。
【００１１】
真空絶縁容器１０１の内部には、固定側電極１０２と、可動側電極１０３とからなる一対の電極が離接可能に配設されている。固定側電極１０２には、固定側通電軸１０４が接続されている。また、可動側電極１０３には、可動側通電軸１０５が接続されている。
【００１２】
真空絶縁容器１０１内の、固定側電極１０２と可動側電極１０３の周囲には、これらを囲むようにアークシールド１０６が配設されている。真空絶縁容器１０１内は、例えば、１０−２Ｐａ以下の真空雰囲気とされている。
【００１３】
真空絶縁容器１０１の固定側通電軸１０４側（図１中上側）には、固定封着金具１１０を介して固定封着板１０７が配設され、固定封着板１０７によって真空絶縁容器１０１の開口部が気密に閉塞されている。固定側通電軸１０４は、固定封着板１０７を貫通して真空絶縁容器１０１の外部まで延在している。
【００１４】
真空絶縁容器１０１の可動側通電軸１０５側（図１中下側）には、可動封着金具１１１を介して可動封着板１０８が配設され、可動封着板１０８によって真空絶縁容器１０１の開口部が気密に閉塞されている。可動側通電軸１０５は、可動封着板１０８を貫通して真空絶縁容器１０１の外部まで延在している。可動側通電軸１０５と可動封着板１０８との間には、これらの間を気密に封止するとともに、可動側通電軸１０５をその軸方向に沿って移動可能とするベローズ１０９が配設されている。
【００１５】
真空絶縁容器１０１の周囲には、例えば、エポキシ樹脂等の絶縁性樹脂を注型して構成された主絶縁層１１２が形成されている。また、主絶縁層１１２の外側には、導電性材料からなり、接地電位とされる接地層１１３が設けられている。
【００１６】
また、本実施形態の樹脂モールド真空バルブ１００では、主絶縁層１１２と真空絶縁容器１０１との間に介在するように、高誘電率層１２０が配設されている。高誘電率層１２０は、内側に位置する第１高誘電率層１２０ａと、この第１高誘電率層１２０ａの外側に位置する第２高誘電率層１２０ｂの２層構造とされている。
【００１７】
高誘電率層１２０を構成する、第１高誘電率層１２０ａ及び第２高誘電率層１２０ｂは、何れも主絶縁層１１２の誘電率（ε３）より誘電率の高い材料から構成されている。また、第１高誘電率層１２０ａ、第２高誘電率層１２０ｂの誘電率の関係は、第１高誘電率層１２０ａの誘電率（ε１）が、第２高誘電率層１２０ｂの誘電率（ε２）より高くなるように設定されている。したがって、誘電率の関係は、
第１高誘電率層（ε１）＞第２高誘電率層（ε２）＞主絶縁層（ε３）
となっている。
【００１８】
なお、高誘電率層１２０は、上記の２層構造のものに限定されるものではなく、３層以上の構造としてもよい。この場合も、内側から外側に向けて次第に誘電率が低くなるように設定し、かつ、高誘電率層１２０における最外層の誘電率が、主絶縁層１１２の誘電率より高くなるように設定することが好ましい。
【００１９】
図１に示すように、本実施形態の樹脂モールド真空バルブ１００では、高誘電率層１２０は、固定封着金具１１０と固定封着板１０７との接続部周辺、及び、可動封着金具１１１と可動封着板１０８との接続部周辺に設けられている。これは、固定封着金具１１０と固定封着板１０７との接続部周辺、及び、可動封着金具１１１と可動封着板１０８との接続部周辺における電圧が特に高くなるためである。
【００２０】
上記のような高電圧部においては、絶縁層内における等電位線の間隔が狭くなるため、電解強度が高くなり、絶縁信頼性が低くなってしまう。そして、このような高電圧部に高誘電率層１２０を設けることによって、等電位線の間隔を広げることができ、この部分の電界強度を緩和して、絶縁信頼性を高めることができる。この場合、誘電率層１２０の内側から外側に向けて誘電率が低くなる構成とすることによって、等電位線の間隔を均等にすることができ、電解強度を均一にすることができる。このように、本実施形態の樹脂モールド真空バルブ１００によれば、電界緩和シールド等を用いることなく、構造の複雑化を招くこともなく、絶縁信頼性の向上を図ることができる。
【００２１】
上述したとおり、高誘電率層１２０は、少なくとも、高電圧となる図１に示される上記の、固定封着金具１１０と固定封着板１０７との接続部周辺、及び、可動封着金具１１１と可動封着板１０８との接続部周辺に配設することが好ましい。しかし、高誘電率層１２０は、一部に限らず、真空絶縁容器１０１の周囲全体に配設してもよい。
【００２２】
主絶縁層１１２を構成する材料として、例えばエポキシ樹脂を使用した場合、その誘電率（ε３）は、３〜４程度となる。したがって、高誘電率層１２０を構成する材料の誘電率（ε１，ε２）は、３〜４より高いものを選択する。この場合、エポキシ樹脂などの樹脂に、誘電率の高い物質を混入してその誘電率を調整してもよい。高誘電率層１２０のうち、より誘電率の高い  第１高誘電率層１２０ａの誘電率（ε１）は、１０以上であることが好ましい。また、  第２高誘電率層１２０ｂの誘電率（ε２）は、３〜４より高く、第１高誘電率層１２０ａの誘電率（ε１）より低くすることが好ましい。
【００２３】
また、等電位線の間隔を均等にして電解強度を均一にするためには、図２に示す、第１高誘電率層１２０ａの厚さｄ１、第２高誘電率層１２０ｂの厚さｄ２、第２高誘電率層１２０ｂの外側に位置する主絶縁層１１２の厚さｄ３と、各層の誘電率ε１、ε２、ε３との関係も重要となる。
【００２４】
前述したとおり、誘電率については、ε１＞ε２＞ε３とされていることから、厚さについては、ｄ１＜ｄ２＜ｄ３とすること、すなわち、真空絶縁容器１０１側の第１高誘電率層１２０ａの厚さｄ１が薄く、外側の層ほど厚さが厚くなるように設定することが好ましい。
【００２５】
また、この場合、例えば、各層の誘電率と各層の厚さの積算値を等電位線の間隔を均等にするための１つの指標とすることができる。そして、例えば、
ε１×ｄ１＝ε２×ｄ２＝ε３×ｄ３
の関係を満たすように各層の誘電率と各層の厚さを設定することがさらに好ましい。このように、各層の誘電率と各層の厚さの積算値が略等しくなるように設定することによって、等電位線の間隔を均等にして電解強度を均一にすることができ、絶縁信頼性をさらに向上させることができる。
【００２６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１００……樹脂モールド真空バルブ、１０１……真空絶縁容器、１０２……固定側電極、１０３……可動側電極、１０４……固定側通電軸、１０５……可動側通電軸、１０６……アークシールド、１０７……固定封着板、１０８……可動封着板、１０９……ベローズ、１１０……固定封着金具、１１１……可動封着金具、１１２……主絶縁層、１１３……接地層、１２０……高誘電率層、１２０ａ……第１高誘電率層、１２０ｂ……第２高誘電率層。
【図１】
2019110012.tif 000003
【図２】
2019110012.tif 000004